(57)【要約】      （修正有）【課題】ドーターカードを装着するときの破損を防止する情報処理装置を提供する。【解決手段】ケージ１は、リヤバー８−１〜８−２に対して固定される本体側コネクタ６とを備えており、ドーターカード２は、ドーターカード本体１１とコネクタ１２と、ドーターカード本体１１に対して回転可能に支持されるイジェクタ１４−１〜１４−２とを備えている。イジェクタ１４−１〜１４−２は、回転することにより、弾性体２２を介してリヤバー８−１〜８−２を押し、かつ、ドーターカード側コネクタ１２が本体側コネクタ６に嵌るようにドーターカード本体１１を押す。このとき、イジェクタ１４−１〜１４−２が回転してドーターカード側コネクタ１２が本体側コネクタ６に押し込まれるときに、弾性体２２が弾性変形することによりドーターカード側コネクタ１２が本体側コネクタ６に押し込まれる量が低減し、ケージ１が変形する量を低減することができる。【選択図】図１
2008226902.tif 000002
【特許請求の範囲】
【請求項１】
弾性体と、
ケージと、
前記ケージに着脱可能であるドーターカードとを具備し、
前記ケージは、
リヤバーと、
前記リヤバーに対して固定される本体側コネクタとを備え、
前記ドーターカードは、
ドーターカード本体と、
前記ドーターカード本体に固定されるドーターカード側コネクタと、
前記ドーターカード本体に対して回転可能に支持されるイジェクタとを備え、
前記イジェクタは、前記ドーターカード本体に対して回転することにより、前記弾性体を介して前記リヤバーを押し、かつ、前記ドーターカード側コネクタが前記本体側コネクタに嵌るように前記ドーターカード本体を押す
情報処理装置。
【請求項２】
請求項１において、
本体側電気回路と、
前記ドーターカード本体に配置されるドーターカード側電気回路とを更に具備し、
前記本体側電気回路は、前記ドーターカード側コネクタが前記本体側コネクタに嵌ることにより、前記ドーターカード側電気回路に電気的に接続される
情報処理装置。
【請求項３】
請求項１または請求項２のいずれかにおいて、
前記イジェクタは、前記イジェクタの一部が前記ドーターカード本体の一部にぶつかることにより、前記ドーターカード本体に対して回転する回転範囲が制限される
情報処理装置。
【請求項４】
請求項１〜請求項３のいずれかにおいて、
前記イジェクタは、前記ドーターカード側コネクタを前記本体側コネクタに嵌めるときに前記イジェクタが回転する回転方向の反対方向に前記ドーターカード本体に対して回転することにより、前記リヤバーを押し、かつ、前記ドーターカード側コネクタが前記本体側コネクタから外れるように前記ドーターカード本体を押す
情報処理装置。
【請求項５】
ドーターカード本体と、
前記ドーターカード本体に固定されるドーターカード側コネクタと、
前記ドーターカード本体に対して回転可能に支持されるイジェクタとを備える
ドーターカードが着脱可能であるケージであり、
リヤバーに対して固定される本体側コネクタと、
前記リヤバーに接合される弾性体とを具備し、
前記イジェクタは、前記ドーターカード本体に対して回転することにより、前記弾性体を介して前記リヤバーを押し、かつ、前記ドーターカード側コネクタが前記本体側コネクタに嵌るように前記ドーターカード本体を押す
ケージ。
【請求項６】
リヤバーと、
前記リヤバーに対して固定される本体側コネクタとを備える
ケージに着脱可能であるドーターカードであり、
ドーターカード本体と、
前記ドーターカード本体に固定されるドーターカード側コネクタと、
前記ドーターカード本体に対して回転可能に支持されるイジェクタに接合される弾性体とを具備し、
前記イジェクタは、前記ドーターカード本体に対して回転することにより、前記弾性体を介して前記リヤバーを押し、かつ、前記ドーターカード側コネクタが前記本体側コネクタに嵌るように前記ドーターカード本体を押す
ドーターカード。
【発明の詳細な説明】
【技術分野】
【０００１】
本発明は、情報処理装置に関し、特に、ドーターカードを装着することにより機能を増設することができる情報処理装置に関する。
【背景技術】
【０００２】
ドーターカードを装着することにより機能を増設することができる情報処理装置が知られている。このような情報処理装置は、より確実にコネクタを嵌め合わせることが望まれている。図４は、公知の情報処理装置を示している。その情報処理装置は、ケージ１０１とドーターカード１０２とを備えている。ケージ１０１は、概ね直方体の筐体に形成され、その直方体の１つの面に開口部が形成されている。ケージ１０１は、本発明による情報処理装置の本体部分に接合され、その開口部が形成される面がその本体部分から外部に露出するように配置されている。ケージ１０１は、ケージ本体１０３とバックボード１０５とから形成されている。バックボード１０５は、樹脂から形成される板であり、その開口部の面と反対側の面を形成している。ケージ本体１０３は、金属板から形成され、ケージ１０１のうちのバックボード１０５を除く部分を形成している。すなわち、ケージ本体１０３とバックボード１０５とは、バックボード１０５の縁がケージ本体１０３に接合されて、ケージ１０１を形成している。
【０００３】
ケージ１０１は、本体側コネクタ１０６とガイドレール１０７−１〜１０７−２とリヤバー１０８−１〜１０８−２とを備えている。本体側コネクタ１０６は、バックボード１０５のケージ１０１の内部に向いている側の面の中央に配置され、バックボード１０５に接合されている。本体側コネクタ１０６は、複数の端子を備えている。その端子は、情報処理装置の本体部分が備えるマザーボード（図示されていない）に電気的に接続されている。ガイドレール１０７−１は、ケージ１０１の内部のうちの開口部とバックボード１０５との間に配置され、ケージ本体１０３に接合されている。ガイドレール１０７−２は、ケージ本体１０３のガイドレール１０７−１が配置されている面に対向する面に配置され、ケージ本体１０３に接合されている。リヤバー１０８−１は、その開口部のガイドレール１０７−１に近い側に配置され、ケージ本体１０３に接合されている。リヤバー１０８−１は、その開口部のガイドレール１０７−２に近い側に配置され、ケージ本体１０３に接合されている。すなわち、本体側コネクタ１０６は、リヤバー１０８−１〜１０８−２に対して固定されている。
【０００４】
ドーターカード１０２は、ドーターカード本体１１１とドーターカード側コネクタ１１２とイジェクタ１１４−１〜１１４−２とを備えている。ドーターカード本体１１１は、概ね長方形状の板状に形成され、図示されていないドーターカード側電気回路が表面に配置されている。ドーターカード側コネクタ１１２は、ドーターカード本体１１１の一辺の中央に固定されている。ドーターカード側コネクタ１１２は、複数の端子を備えている。その端子は、ドーターカード側電気回路に電気的に接続されている。イジェクタ１１４−１〜１１４−２は、ドーターカード本体１１１のドーターカード側コネクタ１１２が配置されている辺の対辺の両端に配置されている。
【０００５】
ガイドレール１０７−１〜１０７−２は、ドーターカード１０２がケージ本体１０３に挿入されたときに、ドーターカード本体１１１の端に接触して、ｚ方向に垂直である平面にドーターカード本体１１１が沿うように、ドーターカード１０２を支持する。ガイドレール１０７−１〜１０７−２は、ドーターカード本体１１１の端に摺動して、ｚ方向に垂直であるｘ方向にドーターカード１０２が平行移動するように、ドーターカード１０２を案内する。ドーターカード側コネクタ１１２は、ガイドレール１０７−１〜１０７−２に案内されてドーターカード１０２がｘ方向の反対方向に平行移動することにより本体側コネクタ１０６に嵌め合わされ、ｘ方向に平行移動することにより本体側コネクタ１０６から抜かれる。ドーターカード側コネクタ１１２が本体側コネクタ１０６に嵌め合わされることにより、ドーターカード側コネクタ１１２の端子は、本体側コネクタ１０６の端子に電気的に接続され、ドーターカード側電気回路は、マザーボードに電気的に接続される。ドーターカード側コネクタ１１２が本体側コネクタ１０６から抜かれることにより、ドーターカード側コネクタ１１２の端子は、本体側コネクタ１０６の端子に電気的に切断され、ドーターカード側電気回路は、マザーボードに電気的に切断される。すなわち、ドーターカード１０２は、ケージ１０１に着脱可能である。
【０００６】
リヤバー１０８−ｉ（ｉ＝１，２）は、窪みが形成されている。イジェクタ１１４−ｉは、回転可能にドーターカード本体１１１に支持されている。イジェクタ１１４−ｉは、回転するときに、一部がドーターカード本体１１１に衝突して、回転することができる範囲が限定されている。イジェクタ１１４−ｉは、ドーターカード側コネクタ１１２と本体側コネクタ１０６とが接触するまでドーターカード１０２がケージ１０１の内部に挿入されたときに、一部がリヤバー１０８−ｉの窪みの内部に配置される。イジェクタ１１４−ｉは、回転することにより、リヤバー１０８−ｉをｘ方向の反対方向に押し、その反作用により、ドーターカード１０２をｘ方向に押す。イジェクタ１１４−ｉは、その反対方向に回転することにより、リヤバー１０８−ｉをｘ方向に押し、その反作用により、ドーターカード１０２をｘ方向の反対方向に押す。
【０００７】
ケージ１０１とドーターカード１０２とは、イジェクタ１１４−ｉが最後まで回転させられたときに、ドーターカード側コネクタ１１２が本体側コネクタ１０６に嵌まるように、サイズが設計されている。
【０００８】
ユーザは、ドーターカード側コネクタ１１２が本体側コネクタ１０６に嵌め合わされているドーターカード１０２をケージ１０１から抜き出すときに、まず、イジェクタ１１４−ｉを回転させる。イジェクタ１１４−ｉは、回転することにより、リヤバー１０８−ｉをｘ方向の反対方向に押し、その反作用により、ドーターカード１０２をｘ方向に押してドーターカード側コネクタ１１２を本体側コネクタ１０６からはずす。
【０００９】
ユーザは、ドーターカード１０２をケージ１０１に装着するときに、まず、ドーターカード側コネクタ１１２と本体側コネクタ１０６とが接触するまでドーターカード１０２をケージ１０１に挿入する。ユーザは、ドーターカード１０２をケージ１０１に挿入した後に、ドーターカード１０２をケージ１０１から抜き出すときと反対の方向にイジェクタ１１４−ｉを回転させる。イジェクタ１１４−ｉは、回転することにより、リヤバー１０８−ｉをｘ方向に押し、その反作用により、ドーターカード１０２をｘ方向の反対方向に押してドーターカード側コネクタ１１２を本体側コネクタ１０６に嵌める。
【００１０】
ケージ１０１とドーターカード１０２とは、製造されるときの偏差により、設計された大きさと異なる大きさに製造されることがある。ドーターカード１０２は、設計より大きく製造された場合で、ケージ１０１に装着するためにイジェクタ１１４−ｉが最後まで回転させられたときに、図５に示されているように、バックボード１０５が所定量より大きく変形することがある。このような変形は、バックボード１０５を破損させ、バックボード１０５が備える電気回路が破損させることがある。ドーターカードを装着するときの破損を防止することが望まれている。
【００１１】
特開２０００−０６８６６９号公報には、ブランクパネルを挿入する操作だけで該ブランクパネルを確実に筐体内に挿入させることができ、筐体に装着された状態で不用意に移動してしまうことのないブランクパネルの固定構造が開示されている。そのブランクパネルの固定構造は、筐体に対して挿抜自在で、装着時に筐体の壁面に形成された開口を閉塞するブランクパネルを該筐体に固定するための固定構造において、筐体の床面と天井面の手前側端縁に設けられた梁部と係脱自在な係止手段を、前記ブランクパネルの手前側端部に設けてブランクパネルの抜去を阻止し、前記係止手段に押圧手段を設け、前記押圧手段は、前記係止手段が前記梁部と係合した状態でブランクパネルを抜去する方向に付勢することを特徴としている。
【００１２】
特開２００３−２８３１６７号公報には、複数のプリント基板を実装する装置に使用されるテコの原理を使ったプリント基板の挿抜構造および挿抜方法において、プリント基板の実装完了後にプリント基板の横揺れを防止するとともに、プリント基板の挿抜に際しては押え金具や冶工具を必要としない、組み立てや保守作業等において操作性に優れた挿抜構造が開示されている。その挿抜構造は、一端縁の角部に支持されたイジェクタを備えたプリント基板を収容ケースに挿入・抜去する挿抜構造であって、前記プリント基板に取り付けられた押圧体と、前記イジェクタに取り付けられ、前記イジェクタの回転に応じて前記押圧体により押圧力を加られて変形し、前記収容ケースに押圧力を加える弾性体とを備えることを特徴としている。
【００１３】
【特許文献１】特開２０００−０６８６６９号公報
【特許文献２】特開２００３−２８３１６７号公報
【発明の開示】
【発明が解決しようとする課題】
【００１４】
本発明の課題は、ドーターカードを装着するときの破損を防止する情報処理装置を提供することにある。
【課題を解決するための手段】
【００１５】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１６】
本発明による情報処理装置は、弾性体（２２）と、ケージ（１）と、ケージ（１）に着脱可能であるドーターカード（２）とを備えている。ケージ（１）は、リヤバー（８−１〜８−２）と、リヤバー（８−１〜８−２）に対して固定される本体側コネクタ（６）とを備えている。ドーターカード（２）は、ドーターカード本体（１１）と、ドーターカード本体（１１）に固定されるドーターカード側コネクタ（１２）と、ドーターカード本体（１１）に対して回転可能に支持されるイジェクタ（１４−１〜１４−２）とを備えている。このとき、イジェクタ（１４−１〜１４−２）は、ドーターカード本体（１１）に対して回転することにより、弾性体（２２）を介してリヤバー（８−１〜８−２）を押し、かつ、ドーターカード側コネクタ（１２）が本体側コネクタ（６）に嵌るようにドーターカード本体（１１）を押す。このとき、情報処理装置は、イジェクタ（１４−１〜１４−２）が回転してドーターカード側コネクタ（１２）が本体側コネクタ（６）に押し込まれるときに、弾性体（２２）が弾性変形することによりドーターカード側コネクタ（１２）が本体側コネクタ（６）に押し込まれる量が低減し、ケージ（１）が変形する量を低減することができ、その結果、破損を防止することができる。
【００１７】
本発明による情報処理装置は、本体側電気回路と、ドーターカード本体（１１）に配置されるドーターカード側電気回路とをさらに備えている。その本体側電気回路は、ドーターカード側コネクタ（１２）が本体側コネクタ（６）に嵌ることにより、ドーターカード側電気回路に電気的に接続される。
【００１８】
イジェクタ（１４−１〜１４−２）は、イジェクタ（１４−１〜１４−２）の一部（３８）がドーターカード本体（１１）の一部（３９）にぶつかることにより、ドーターカード本体（１１）に対して回転する回転範囲が制限されている。
【００１９】
イジェクタ（１４−１〜１４−２）は、ドーターカード側コネクタ（１２）を本体側コネクタ（６）に嵌めるときにイジェクタ（１４−１〜１４−２）が回転する回転方向（３４）の反対方向にドーターカード本体（１１）に対して回転することにより、リヤバー（８−１〜８−２）を押し、かつ、ドーターカード側コネクタ（１２）が本体側コネクタ（６）から外れるようにドーターカード本体（１１）を押す。
【００２０】
本発明によるケージ（１）は、ドーターカード本体（１１）と、ドーターカード本体（１１）に固定されるドーターカード側コネクタ（１２）と、ドーターカード本体（１１）に対して回転可能に支持されるイジェクタ（１４−１〜１４−２）とを備えるドーターカード（２）が着脱可能である。本発明によるケージ（１）は、リヤバー（８−１〜８−２）に対して固定される本体側コネクタ（６）と、リヤバー（８−１〜８−２）に接合される弾性体（２２）とを備えている。イジェクタ（１４−１〜１４−２）は、ドーターカード本体（１１）に対して回転することにより、弾性体（２２）を介してリヤバー（８−１〜８−２）を押し、かつ、ドーターカード側コネクタ（１２）が本体側コネクタ（６）に嵌るようにドーターカード本体（１１）を押す。このとき、ケージ（１）は、イジェクタ（１４−１〜１４−２）が回転してドーターカード側コネクタ（１２）が本体側コネクタ（６）に押し込まれるときに、弾性体（２２）が弾性変形することによりドーターカード側コネクタ（１２）が本体側コネクタ（６）に押し込まれる量が低減し、ケージ（１）が変形する量を低減することができ、その結果、破損を防止することができる。
【００２１】
本発明によるドーターカード（２）は、リヤバー（８−１〜８−２）と、リヤバー（８−１〜８−２）に対して固定される本体側コネクタ（６）とを備えるケージ（１）に着脱可能である。本発明によるドーターカード（２）は、ドーターカード本体（１１）と、ドーターカード本体（１１）に固定されるドーターカード側コネクタ（１２）と、ドーターカード本体（１１）に対して回転可能に支持されるイジェクタ（１４−１〜１４−２）に接合される弾性体（２２）とを備えている。イジェクタ（１４−１〜１４−２）は、ドーターカード本体（１１）に対して回転することにより、弾性体（２２）を介してリヤバー（８−１〜８−２）を押し、かつ、ドーターカード側コネクタ（１２）が本体側コネクタ（６）に嵌るようにドーターカード本体（１１）を押す。このとき、ドーターカード（２）は、イジェクタ（１４−１〜１４−２）が回転してドーターカード側コネクタ（１２）が本体側コネクタ（６）に押し込まれるときに、弾性体（２２）が弾性変形することによりドーターカード側コネクタ（１２）が本体側コネクタ（６）に押し込まれる量が低減し、ケージ（１）が変形する量を低減することができ、その結果、破損を防止することができる。
【発明の効果】
【００２２】
本発明による情報処理装置は、ドーターカード側コネクタが本体側コネクタに嵌るようにイジェクタがドーターカード本体に対して回転するときに、弾性体が弾性変形することにより、ドーターカード側コネクタが本体側コネクタに押し込まれる量を低減することができ、ケージが変形する量を低減することができ、その結果、破損を防止することができる。
【発明を実施するための最良の形態】
【００２３】
図面を参照して、本発明による情報処理装置の実施の形態を記載する。その情報処理装置は、図１に示されているように、ケージ１とドーターカード２とを備えている。ケージ１は、概ね直方体の筐体に形成され、その直方体の１つの面に開口部が形成されている。ケージ１は、本発明による情報処理装置の本体部分に接合され、その開口部が形成される面がその本体部分から外部に露出するように配置されている。ケージ１は、ケージ本体３とバックボード５とから形成されている。バックボード５は、樹脂から形成される板であり、その開口部の面と反対側の面を形成している。ケージ本体３は、金属板から形成され、ケージ１のうちのバックボード５を除く部分を形成している。すなわち、ケージ本体３とバックボード５とは、バックボード５の縁がケージ本体３に接合されて、ケージ１を形成している。
【００２４】
ケージ１は、本体側コネクタ６とガイドレール７−１〜７−２とリヤバー８−１〜８−２とを備えている。本体側コネクタ６は、バックボード５のケージ１の内部に向いている側の面の中央に配置され、バックボード５に接合されている。本体側コネクタ６は、複数の端子を備えている。その端子は、情報処理装置の本体部分が備えるマザーボード（図示されていない）に電気的に接続されている。ガイドレール７−１は、ケージ１の内部のうちの開口部とバックボード５との間に配置され、ケージ本体３に接合されている。ガイドレール７−２は、ケージ本体３のガイドレール７−１が配置されている面に対向する面に配置され、ケージ本体３に接合されている。リヤバー８−１は、その開口部のガイドレール７−１に近い側に配置され、ケージ本体３に接合されている。リヤバー８−１は、その開口部のガイドレール７−２に近い側に配置され、ケージ本体３に接合されている。すなわち、本体側コネクタ６は、リヤバー８−１〜８−２に対して固定されている。
【００２５】
ドーターカード２は、ドーターカード本体１１とドーターカード側コネクタ１２とイジェクタ１４−１〜１４−２とを備えている。ドーターカード本体１１は、概ね長方形状の板状に形成され、図示されていないドーターカード側電気回路が表面に配置されている。ドーターカード側コネクタ１２は、ドーターカード本体１１の一辺の中央に固定されている。ドーターカード側コネクタ１２は、複数の端子を備えている。その端子は、ドーターカード側電気回路に電気的に接続されている。イジェクタ１４−１〜１４−２は、ドーターカード本体１１のドーターカード側コネクタ１２が配置されている辺の対辺の両端に配置されている。
【００２６】
ガイドレール７−１〜７−２は、ドーターカード２がケージ本体３に挿入されたときに、ドーターカード本体１１の端に接触して、ｚ方向に垂直である平面にドーターカード本体１１が沿うように、ドーターカード２を支持する。ガイドレール７−１〜７−２は、ドーターカード本体１１の端に摺動して、ｚ方向に垂直であるｘ方向にドーターカード２が平行移動するように、ドーターカード２を案内する。ドーターカード側コネクタ１２は、ガイドレール７−１〜７−２に案内されてドーターカード２がｘ方向の反対方向に平行移動することにより本体側コネクタ６に嵌め合わされ、ｘ方向に平行移動することにより本体側コネクタ６から抜かれる。ドーターカード側コネクタ１２が本体側コネクタ６に嵌め合わされることにより、ドーターカード側コネクタ１２の端子は、本体側コネクタ６の端子に電気的に接続され、ドーターカード側電気回路は、マザーボードに電気的に接続される。ドーターカード側コネクタ１２が本体側コネクタ６から抜かれることにより、ドーターカード側コネクタ１２の端子は、本体側コネクタ６の端子に電気的に切断され、ドーターカード側電気回路は、マザーボードに電気的に切断される。すなわち、ドーターカード２は、ケージ１に着脱可能である。
【００２７】
図２は、リヤバー８−ｉ（ｉ＝１，２）を示している。リヤバー８−ｉは、リヤバー本体２１と弾性体２２とを備えている。リヤバー本体２１は、窪みが形成され、その窪みの内部に第１面２３と第２面２４とが形成されている。第１面２３は、バックボード５に対向し、すなわち、本体側コネクタ６に対向している。第２面２４は、ケージ１の開口部に対向している。弾性体２２は、ゴムから形成され、第１面２３に接合されている。なお、弾性体２２は、ゴム以外の材料から形成されることもできる。その材料としては、ばねが例示される。
【００２８】
図２は、さらに、イジェクタ１４−ｉを示している。イジェクタ１４−ｉは、イジェクタ本体３１と軸受け３２とを備えている。軸受け３２は、回転軸３３を中心に回転可能にイジェクタ本体３１をドーターカード本体１１に支持している。回転軸３３は、ｚ方向に平行である。イジェクタ本体３１は、取手部分３５と第１部分３６と第２部分３７と第３部分３８とを備えている。取手部分３５は、ユーザにより操作される部分である。すなわち、イジェクタ本体３１は、ユーザにより取手部分３５を移動させられることにより、回転方向３４または回転方向３４の反対方向に回転する。
【００２９】
第１部分３６は、ドーターカード側コネクタ１２と本体側コネクタ６とが接触するまでドーターカード２がケージ１の内部に挿入されたときに、リヤバー本体２１の第１面２３に対向する。第１部分３６は、ドーターカード側コネクタ１２と本体側コネクタ６とが接触するまでドーターカード２がケージ１の内部に挿入された場合で、イジェクタ本体３１が回転方向３４に回転するときに、弾性体２２を介して第１面２３に押し付けられる。第２部分３７は、ドーターカード側コネクタ１２と本体側コネクタ６とが接触するまでドーターカード２がケージ１に挿入されたときに、リヤバー本体２１の第２面２４に対向する。第２部分３７は、ドーターカード側コネクタ１２と本体側コネクタ６とが接触するまでドーターカード２がケージ１に挿入された場合で、イジェクタ本体３１が回転方向３４の反対方向に回転するときに、第２面２４に押し付けられる。第３部分３８は、ドーターカード本体１１のドーターカード側コネクタ１２が配置される端の反対側の端３９に対向している。第３部分３８は、イジェクタ本体３１が回転方向３４に回転するときに、図３に示されているように、端３９に衝突して、イジェクタ本体３１がドーターカード本体１１に対して回転することができる範囲を限定している。
【００３０】
ドーターカード２は、ドーターカード側コネクタ１２が本体側コネクタ６に嵌まり、かつ、第３部分３８が端３９にぶつかるまでイジェクタ１４−ｉを回転方向３４に回転させられたときに、弾性体２２が弾性変形するように、サイズが設計されている。さらに、弾性体２２は、ドーターカード側コネクタ１２が本体側コネクタ６に嵌まり、かつ、第３部分３８が端３９にぶつかるまでイジェクタ１４−ｉを回転方向３４に回転させられたときに、弾性力がドーターカード側コネクタ１２を本体側コネクタ６に嵌める力より大きくなるように、かつ、弾性力がバックボード５を所定量より大きく変形する力より小さくなるように設計されている。
【００３１】
ユーザは、ドーターカード側コネクタ１２が本体側コネクタ６に嵌め合わされているドーターカード２をケージ１から抜き出すときに、まず、イジェクタ１４−ｉを回転方向３４の反対方向に回転させる。イジェクタ１４−ｉは、回転方向３４の反対方向に回転することにより、リヤバー８−ｉをｘ方向の反対方向に押し、その反作用により、ドーターカード２をｘ方向に押してドーターカード側コネクタ１２を本体側コネクタ６からはずす。
【００３２】
ユーザは、ドーターカード２をケージ１に装着するときに、まず、ドーターカード側コネクタ１２と本体側コネクタ６とが接触するまでドーターカード２をケージ１に挿入する。ユーザは、ドーターカード２をケージ１に挿入した後に、図３に示されているように、第３部分３８が端３９にぶつかるまでイジェクタ１４−ｉを回転方向３４に回転させる。イジェクタ１４−ｉは、回転方向３４に回転することにより、弾性体２２を介してリヤバー８−ｉをｘ方向に押し、その反作用により、ドーターカード２をｘ方向の反対方向に押してドーターカード側コネクタ１２を本体側コネクタ６に嵌める。このとき、弾性体２２は、弾性変形している。
【００３３】
ケージ１とドーターカード２とは、製造されるときの偏差により、設計された大きさと異なる大きさに製造されることがある。ドーターカード２は、設計より大きく製造された場合で、ケージ１に装着するときに、弾性体２２が大きく弾性変形し、バックボード５が所定量より大きく変形することを防止する。このとき、ドーターカード２は、バックボード５またはバックボード５が備える電気回路が破損することを防止することができる。ドーターカード２は、設計より小さく製造された場合でも、ケージ１に装着するときに、イジェクタ１４−ｉの第１部分３６が弾性体２２に接触することができ、その反作用によりドーターカード２をｘ方向の反対方向に押すことができ、ドーターカード側コネクタ１２が本体側コネクタ６に嵌まることをより確実にする。
【００３４】
本発明による情報処理装置の実施の他の形態は、既述の実施の形態における弾性体２２が他の弾性体に置換されている。その弾性体は、イジェクタ１４−ｉの第１部分３６に接合されている。このような情報処理装置は、既述の実施の形態における情報処理装置と同様にして、ドーターカード２をケージ１に装着するときに、バックボード５が所定量より大きく変形することを防止し、バックボード５またはバックボード５が備える電気回路が破損することを防止することができる。
【図面の簡単な説明】
【００３５】
【図１】図１は、本発明による情報処理装置の実施の形態を示す断面図である。
【図２】図２は、リヤバーを示し、イジェクタを示す平面図である。
【図３】図３は、図２が示す状態と異なる状態のリヤバーを示し、イジェクタを示す平面図である。
【図４】図４は、公知の情報処理装置を示す断面図である。
【図５】図５は、ドーターカードが強く押し込まれたときの公知の情報処理装置を示す断面図である。
【符号の説明】
【００３６】
１  ：ケージ
２  ：ドーターカード
３  ：ケージ本体
５  ：バックボード
６  ：本体側コネクタ
７−１〜７−２：ガイドレール
８−１〜８−２：リヤバー
１１：ドーターカード本体
１２：ドーターカード側コネクタ
１４−１〜１４−２：イジェクタ
２１：リヤバー本体
２２：弾性体
２３：第１面
２４：第２面
３１：イジェクタ本体
３２：軸受け
３３：回転軸
３４：回転方向
３５：取手部分
３６：第１部分
３７：第２部分
３８：第３部分
３９：端
【図１】
2008226902.tif 000003
【図２】
2008226902.tif 000004
【図３】
2008226902.tif 000005
【図４】
2008226902.tif 000006
【図５】
2008226902.tif 000007